(57)【要約】【解決手段】  本発明は、下側基礎２８において、ターボ過給器ケーシング１４備えるターボ過給器１２を固定するための固定装置２６に関する。この固定装置２６は、第１の、下側基礎２８に固定可能な脚部３０、および、第２の、下側基礎２８に固定可能な脚部３２を有しており、その際、これら両方の脚部３０、３２が、軸線方向に相互に離間して設けられた状態でターボ過給器１４と結合可能である。この第２の脚部３２は、ターボ過給器ケーシング１４と結合可能であるケーシング結合領域３４、および、この下側基礎２８と結合可能な下側基礎結合領域３６を有している。このケーシング結合領域３４は、部分円弧、または円弧の様式で形成されている。軸線方向補強材３８は、ケーシング結合領域３４、および下側基礎結合領域３６を結合しており、且つ、この下側基礎２８と角度αを成しており、この角度が、０°から６０°までの範囲内にある。
2005516143.tif 000002
【特許請求の範囲】
【請求項１】
第１の、および第２の、下側基礎に固定可能な脚部でもって、この下側基礎に、ターボ過給器ケーシングを備えるターボ過給器を固定するための固定装置であって、その際、
これら両方の脚部が、軸線方向に相互に離間して設けられた状態でターボ過給器ケーシングと結合可能であり、且つ、この第２の脚部（３２）が、
ターボ過給器ケーシング（１４）と結合可能であり、且つ少なくとも部分円弧の様式で形成されているケーシング結合領域（３４）、
軸線方向にこのケーシング結合領域（３４）から離間して設けられ、この下側基礎（２８）と結合可能である下側基礎結合領域（３６）、並びに、
これら両方のケーシング結合領域（３４、３６）と互いに結合されており、且つ、この下側基礎（２８）と、角度αを成しており、この角度が、０°から６０°までの範囲内にある軸線方向補強材（３８）、
を備えている様式の上記固定装置において、
ケーシング結合領域（３４）が、円弧形状の当接部（４２）を備えており、この当接部が、ターボ過給器ケーシング（１４）と、軸線方向において形状一体的に結合可能であるように構成されていることを特徴とする固定装置。
【請求項２】
ケーシング結合領域（３４）は、少なくとも９０°の部分円弧、有利には、１８０°±３０°の部分円弧を描いていること、および、
下側基礎結合領域（３６）が、第１の脚部（３０）に対して反対の、ケーシング結合領域（３４）の側面上に設けられていることを特徴とする請求項１に記載の固定装置
【請求項３】
ターボ過給器ケーシング（１４）は、結合フランジ（４０）を有しており、この結合フランジの外径が、ケーシング結合領域（３４）の部分円弧、または円弧の半径と一致しており、従って、この結合フランジ（４０）、およびケーシング結合領域（３４）が、形状一体的に互いの中へ係合していること、および、
このケーシング結合領域（３４）、およびターボ過給器ケーシング（１４）が、均等に部分円弧、または円弧にわたって配分された固定部材（４６）を用いて、相対して固定されていること、
を特徴とする請求項１または２に記載の固定装置。
【請求項４】
第２の脚部（３２）は、側方補強材（３９）を有しており、これら側方補強材が、ターボ過給器（１２）の長手軸線（１０）の両側で、円弧形状のケーシング結合領域（３４）に取付いており、且つ、支持部を形成する状態で下側基礎（２８）に至るまで延在していることを特徴とする請求項１から３のいずれか一つに記載の固定装置。
【請求項５】
側方補強材（３９）は、ケーシング結合領域（３４）を下側基礎結合領域（３６）と結合しており、且つ有利には、板状に形成されていることを特徴とする請求項４に記載の固定装置。
【請求項６】
軸線方向補強材（３８）は、この軸線方向補強材が、側方で、それぞれに、この軸線方向補強材の全ての軸線方向の長さにわたって、それぞれの側方補強材（３９）と結合されているように形成されていることを特徴とする請求項４または５に記載の固定装置。
【請求項７】
軸線方向補強材（３８）は、シェル状の補強板の様式で形成されており、この補強板の断面が、ケーシング結合領域（３４）内において、このケーシング結合領域（３４）の部分円弧または円弧をなぞっており、且つ、この補強板の断面が、下側基礎結合領域（３６）の領域内において、有利には、ほぼ直線を描いていることを特徴とする請求項１から６のいずれか一つに記載の固定装置。
【請求項８】
第２の脚部（３２）は、固定手段（４８）を用いて、この第２の脚部（３２）が下側基礎（２８）に対して少なくとも軸線方向で、所定の道程の範囲内において摺動可能であるように、この下側基礎（２８）と結合されていることを特徴とする請求項１から７のいずれか一つに記載の固定装置。
【請求項９】
下側基礎結合領域（３６）は、固定手段（４８）の遊隙を有する収容のための収容開口部（５０）を有しており、その際、この固定手段（４８）が、下側基礎（２８）内において固定可能な固定部材（５２）、および、この固定部材（５２）を囲繞するスライドシュー（５４）から成っていることを特徴とする請求項８に記載の固定装置。
【請求項１０】
ターボ過給器ケーシング（１４）は、このターボ過給器ケーシングの長手軸線（１０）に沿って圧縮機ケーシング（１６）、並びに、ガス流出ケーシング（２２）およびガス流入ケーシング（２４）を有するタービンケーシング（２０）を備えており、且つ、
ターボ過給器（１２）を固定するために、第２の脚部（３２）が、このタービンケーシング（２０）の方向で、第１の脚部から離間して設けられた状態で配設されており、且つ、特にタービン側で、このガス流出ケーシング（２２）と結合されていることを特徴とする請求項１から９のいずれか一つに記載の固定装置。
【請求項１１】
第１の脚部（３０）は、圧縮機側で、このガス流出ケーシング（２２）と結合されていることを特徴とする請求項１０に記載の固定装置。
【請求項１２】
第１の脚部（３０）は、結合部材（５６）を有しており、この結合部材が、このガス流出ケーシング（２２）と結合されており、且つ、このガス流出ケーシング（２２）を軸線方向で固定しており、およびその際、
この結合部材（５６）が、圧縮機側で、有利には、収容サドル（６８）と結合されており、この収容サドル上にこのガス流出ケーシング（２２）の圧縮機側が滑動状態で支持されていることを特徴とする請求項１１に記載の固定装置。
【請求項１３】
第１の脚部（３０）は、軸受脚部（７８）として形成されており、この軸受脚部が、タービンケーシング（２０）と圧縮機ケーシング（１６）との間に設けられた軸受ケーシング（１８）と結合されていることを特徴とする請求項１０に記載の固定装置。
【発明の詳細な説明】
【技術分野】
【０００１】
本発明は、請求項１の上位概念の特徴による、ターボ過給器のための固定装置に関する。
【背景技術】
【０００２】
ターボ過給器のための固定装置は、種々の課題を引き受けなければならない。その際に、ただ１つだけの脚部を有する固定装置、および、２つの脚部を有する固定装置が存在する。２つの脚部を有する固定装置の利点は、メンテナンス作業のために必要な取外し、および組付けが、通常は、ただ１つだけの脚部を有する固定装置の場合よりも、より簡単に、且つ迅速に行われることにある。
【０００３】
２つの脚部を有する固定装置の場合、これら脚部は、軸線方向に相互に離間して設けられた状態で、ターボ過給器に配設されており、且つ、下側基礎に固定可能である。これら脚部は、この下側基礎に対するこのターボ過給器の支持および固定の、並びに、このターボ過給器の諸振動の収容の役目を果たし、従って、これら諸振動が、完全には、この下側基礎に伝播せず、且つ、熱によるターボ過給器ケーシングの膨張の補償の役目を果たす。諸振動の収容のために、これら脚部は、高い剛性を有しているべきであり、これに対して、ケーシング膨張の補償のために、少なくとも軸線方向において、少なくとも１つの脚部のある程度の可撓性が必要である。
従って、参考文献内において、
例えばパンフレット「”The Range of ABB Turbochargers” von ABB Turbo Systems Ltd., No. CH-Z 2008 97 E, Abbildung 203 044 VTR: The Classic und Abbildung 226 874 VTC: The Compact」（非特許文献１）内においてのような、ほぼ同じに剛性もしくは可撓的に形成されている脚部を有する固定装置が、しかしながら同様に、
それら固定装置において、両方の脚部の内の一方の脚部が、主脚部として剛性に、および、両方の脚部の内の他方の脚部が、比較的に高い軸線方向の可撓性を有する補助脚部として形成されている、例えば、このことが、三菱重工業株式会社のパンフレットＨ４２０−４２ＴＵ１１Ｅ１−Ａ−０，（１，０）９８−３Ｒ，第６頁（非特許文献２）、および、ドイツ連邦共和国特許公開第１９９  ２５  ６８４号明細書（特許文献１）において示されているような固定装置も見出される。
【０００４】
ターボ過給器がエンジン上に配設されている場合、固定装置は、更に別の課題を引き受けねばならない。この固定装置は、このターボ過給器が、エンジンの振動によって、固有振動数での振動へと励起されることを防止すべきである。上記されたこれら固定装置において、ターボ過給器の固有振動数が、運悪く、ほぼエンジン点火周波数の範囲内において位置し、且つ、この固定装置が、しばしば、固有振動周波数内における励起を効果的に防止可能でないということが明らかとなった。このような励起を防止するために、公知の固定装置の脚部は、中実に補強されねばならず、このことは、比較的に高い材料コスト、および、比較的に高い重量を結果として招く。
【特許文献１】ドイツ連邦共和国特許公開第１９９  ２５  ６８４号明細書
【特許文献２】ヨーロッパ特許出願  第００８１０６６３．５．
【非特許文献１】ＡＢＢターボシステムズ社（ABB Turbo Systems Ltd.）のパンフレット”The Range of ABB Turbochargers”, No. CH-Z 2008 97 Eの付図 203 044 VTR: The Classic および  付図 226 874 VTC: The Compact
【非特許文献２】三菱重工業株式会社のパンフレットＨ４２０−４２ＴＵ１１Ｅ１−Ａ−０，（１，０）９８−３Ｒ，第６頁
【発明の開示】
【発明が解決しようとする課題】
【０００５】
従って、本発明の課題は、冒頭に記載した様式の固定装置を提供することであり、この固定装置が、下側基礎を経由しての固有振動数での振動へのターボ過給器の励起を、効果的に防止する。
【課題を解決するための手段】
【０００６】
この課題は、請求項１の特徴を有する固定装置によって解決される。
【発明の効果】
【０００７】
本発明による固定装置は、第１の、および第２の脚部を備えており、これら脚部が、下側基礎に固定され、且つ、通常、軸線方向に相互に離間して設けられた状態でターボ過給器と結合されている。本発明により、この第２の脚部は、ケーシング結合領域を有しており、このケーシング結合領域が、ターボ過給器ケーシングと結合可能であり、且つ、少なくとも部分円弧の様式で形成されている。更に、第２の脚部は、軸線方向に、このケーシング結合領域から離間して設けられた下側基礎結合領域を有しており、この下側基礎結合領域が、下側基礎と結合可能であり、且つ、軸線方向補強材を用いて、このケーシング結合領域と結合されている。この軸線方向補強材は、この下側基礎と、角度αを成しており、この角度が、０°から６０°までの範囲内にある。この第２の脚部の特別な構成によって、この第２の脚部の剛性は、確実に向上され、且つ従って、この固定装置でもって下側基礎に固定されたターボ過給器の固有振動数が、より高い振動数へと変位される。このように固定されたターボ過給器の固有振動数は、その際に、典型的に諸エンジンにおいて生じる点火周波数の周波数範囲の外側に位置しており、従って、諸エンジンによる固有振動数での振動への励起が、効果的に防止される。
【０００８】
ターボ過給器ケーシングが結合フランジを有している場合、特に簡単に、第２の脚部は、ターボ過給器ケーシングと結合可能であり、この結合フランジが、基本的に、ケーシング結合領域の円弧、または部分円弧と同じ半径を有しており、従って、この結合フランジ、およびケーシング結合領域が、形状一体的に互いの中へ係合している。このケーシング結合領域は、この目的で、有利には、円弧形状の当接部を有している。このケーシング結合領域、およびターボ過給器ケーシングは、要するに、均等に部分円弧、または円弧にわたって配分された、例えば、ねじである固定部材を用いて、相対して固定されている。
【０００９】
特に有利な、何故なら極めて剛性な実施形態において、ケーシング結合領域は、１８０°±３０°の部分円弧を描いている。同様に全円弧も可能であり、この全円弧は、同様に、良好な剛性値を第２の脚部のために与えるが、ただし、ターボ過給器ケーシングへの外側からの取り扱い可能性を、場合によっては不必要に制限する。下側基礎結合領域が、第１の脚部に対して反対の、ケーシング結合領域の側面上に設けられている場合、特に有利である。このことは、固定装置のために、比較的に大きなスタンド面を与え、且つ、同様に組付けに関しても、より簡単である。
【００１０】
第２の脚部が側方補強材を有している場合、これら側方補強材が、ターボ過給器の長手軸線の両側で、接線方向に、円弧形状のケーシング結合領域に取付いており、且つ、支持部を形成する状態で下側基礎に至るまで延在し、従って、このことが、この脚部の剛性を向上する。極めて特別に良好な結果は、側方補強材が、ケーシング結合領域から下側基礎へと延びているだけでなく、このケーシング結合領域を同様に下側基礎結合領域と結合している場合に得られる。最も簡単な手段としては、このことは、板状に形成された側方補強材でもって可能である。重量削減、および材料削減のために、これら板は、開口部を有していても良く、または、これら側方補強材が支柱、または、格子の様式において形成されていても良い。
【００１１】
軸線方向補強材は、側方で、それぞれに、この軸線方向補強材の全ての軸線方向の長さにわたって、それぞれの側方補強材と結合されている場合、このことは、剛性を更に向上し、且つ、固定装置と固定されたターボ過給器の固有振動数を、更により高い振動数へと変位する。
【００１２】
特に有利な、何故なら極めて剛性な実施形態において、軸線方向補強材は、シェル状の補強板の様式で形成されている。この補強板の断面は、ケーシング結合領域内において、このケーシング結合領域の部分円弧または円弧をなぞっており、且つ、下側基礎結合領域の領域内において、有利には、ほぼ直線を描いている。側方補強材のように、従って、材料を削減するために、同様にこの補強板も開口部を有することは可能であり、同様にここで、この軸線方向補強材を、支柱、または、格子の様式において形成することも可能である。
【００１３】
第２の脚部が、固定手段を用いて、この第２の脚部が下側基礎に対して少なくとも軸線方向で、所定の道程の範囲内において摺動可能であるように、この下側基礎と結合されている場合、この脚部は、大きな剛性にもかかわらず、熱によるターボ過給器ケーシングのケーシング膨張を効果的に収容可能である。第１の脚部は、上記のことに反して、固定式に、この下側基礎に固定されており、従って、この第１の脚部が、いわばターボ過給器位置のゼロ点（0-Punkt）を、この下側基礎に対して定める。
【００１４】
最も簡単な手段としては、摺動運動を伴う下側基礎との結合は、この結合が第２の脚部のために設けられているように、下側基礎結合領域内において、固定手段の遊隙を有する収容のために形成されている収容開口部が設けられているというやり方で実現され、その際、この固定手段が、下側基礎内において固定可能な固定部材、および、この固定部材を囲繞するスライドシューから成っている。例えば、固定部材、およびスライドシューでもって、このような固定手段を形成するために、２０００年７月２６日に提出されたヨーロッパ特許出願  第００８１０６６３．５．（特許文献２）における図２ａから６ｂまで、および、対応する説明において開示されている。この開示は、これによって本発明に併合される（hiermit inkouporiert）。
【００１５】
このターボ過給器ケーシングの長手軸線に沿って圧縮機ケーシング、並びに、ガス流出ケーシングおよびガス流入ケーシングを有するタービンケーシングを備えるターボ過給器ケーシングを有するターボ過給器の場合、第２の脚部が、本発明による固定装置を、このタービンケーシングの方向で、第１の脚部から離間して設けられた状態で配設されているように装着することは特に有利である。組付け、および取外し関して、この第２の脚部が、タービン側で、このガス流出ケーシングと結合されている場合、このことは、最も簡単である。この第１の脚部は、その場合に、有利には、圧縮機側で、このガス流出ケーシングと結合されている。
【００１６】
特に有利な実施形態において、第１の脚部は、ガス流出ケーシングとの結合のために、結合部材を有しており、この結合部材が、ほぼ軸線方向でこのガス流出ケーシングの中央において、このガス流出ケーシングと結合されており、且つ、このガス流出ケーシングを軸線方向で固定している。有利には、この結合部材は、圧縮機側で、収容サドルと結合されており、この収容サドル上にこのガス流出ケーシングの圧縮機側が摺動可能に軸受けされ、且つ、下側基礎に対して支持されている。このようにして、第１の脚部は、ターボ過給器を、１つの地点においてだけでなく、２つの不連続な地点においても支持し、且つ、同時に、熱によるターボ過給器のケーシングの膨張が、材料内において応力状態になること無しに、収容可能な状態にある。
【００１７】
第１の脚部を従来の軸受脚部として、例えば、この軸受脚部が、三菱重工業株式会社のパンフレットＨ４２０−４２ＴＵ１１Ｅ１−Ａ−０，（１，０）９８−３Ｒ，第６頁（非特許文献２）、および、ドイツ連邦共和国特許公開第１９９  ２５  ６８４号明細書（特許文献１）において示されているように、形成することも、しかしながら同様に可能である。
【００１８】
更に別の有利な実施形態は、更に別の従属請求項の対象である。
【００１９】
次に、本発明の対象を、添付された図において図示されている、有利な実施例に基づいて詳しく説明する。
【００２０】
図において使用されている参照符号、およびこれら参照符号の意味は、符号の説明内において統合された状態で一欄表にまとめられている。基本的に、これら図において、同じ部材は、同じ参照符号を備えている。記載された実施形態は、例示的に本発明の対象を代表しているにすぎず、且つ如何なる制約された作用も有してはいない。
【発明を実施するための最良の形態】
【００２１】
図１は、側面図において、ターボ過給器ケーシング１４を有するターボ過給器１２を、このターボ過給器の長手軸線１０に沿って示しており、このターボ過給器ケーシングが、この長手軸線１０に沿って、圧縮機ケーシング１６、軸受ケーシング１８、および、タービンケーシング２０を備えている。このタービンケーシング２０は、それ自身、ガス流出ケーシング２２、およびガス流入ケーシング２４を有している。このターボ過給器１２は、本発明による固定装置２６を用いて、下側基礎２８に固定されている。この固定装置２６は、第１の、この下側基礎に固定可能な脚部３０、および、軸線方向にこの第１の脚部から離間して設けられた、第２のこの下側基礎に固定可能な脚部３２を有している。これらの脚部は、それぞれに、このターボ過給器ケーシング１４と結合されており、詳しく言うとつまり、それぞれに、ガス流出ケーシング２２において結合されており、その際、この第１の脚部３０が、圧縮機側に、および、この第２の脚部３２がタービン側に配設されている。
【００２２】
図１、２、および３から明らかなように、第２の脚部３２は、ターボ過給器ケーシング１４との結合のために、ケーシング結合領域３４を有しており、このケーシング結合領域が、この実施例において、１８０°の弧長さを有する部分円弧として形成されている。この部分円弧の代わりに、しかも同様に、全円弧も可能であり、その際、ターボ過給器１２の外側からの取り扱い可能性は、そのような構成によって、事情によっては、あまりに制限されすぎている。良好な剛性のために、１８０°±３０°の部分円弧は理想的であり、しかしながら同様に、約９０°の部分円弧でもっても、比較的に僅かな諸要件の場合、なお、十分な剛性が達成され得る。このケーシング結合領域３４から離間して設けられた状態で、下側基礎２８と結合可能である下側基礎結合領域３６が設けられている。この示された実施例において、この下側基礎結合領域３６は、広がりを、このターボ過給器ケーシング１４の長手軸線１０に対して横方向に有しており、この広がりが、ほぼ、このケーシング結合領域３４の部分円弧、または円弧の２倍の半径に相応している。これら寸法は、しかしながら同様に、既存のスペース提供、および、剛性の諸要件に応じて、多少より大きいか、またはより小さくても良い。
【００２３】
軸線方向補強材３８は、両方の結合領域３４、３６を互いに結合しており、且つ、下側基礎２８と、角度αを成しており、この角度が、この実施例において、約２５°から３０°までの範囲内にある。良好な剛性を得るために、この角度αは、０°と６０°との間の値であることが可能であり、即ち、同様にこの下側基礎２８に対して平行に指向する軸線方向補強材３８も可能であり、且つ、設定された諸要件を満たす。そのために、実際上は、下側基礎結合領域３６は、この軸線方向補強材３８が、ほぼ、この下側基礎２８に対して同じ間隔で  ―この間隔内において、この軸線方向補強材が、ケーシング結合領域３４でもって、ターボ過給器ケーシング１４に取付いている−  、同様に下側基礎結合領域３６にも取付いていることが可能であるように構成されていなければならない。この軸線方向補強材３８は、この示された実施例において、補強板として形成されている。この軸線方向補強材は、しかしながら同様に、個別の支柱の様式において、または、格子の様式においても実施され得る。
【００２４】
ケーシング結合領域３４、および下側基礎結合領域３６は、示された第２の脚部３２の場合、付加的に、側方において、それぞれ１つの側方補強材３９と結合されている。この側方補強材３９は、接線方向に、円弧形状のケーシング結合領域３４に取付いており、且つ、下側基礎２８に至るまで延びている。この示された実施例において、この側方補強材３９は、ほぼ三角形の板の様式において構成されている。この側方補強材は、しかしながら、この軸線方向補強材３８のように、同様に個別の支柱の様式において、または、格子の様式においても形成されていることは可能である。
【００２５】
図１および２において図示されているように、ガス流出ケーシング２２は、このガス流出ケーシングのタービン側の端面壁において、結合フランジ４０を有しており、この結合フランジが、第２の脚部３２のケーシング結合領域３４と同じ半径を有している。この示された実施例において、この結合フランジ４０は、全円を描いている。このことは、特に有利である。何故ならば、従って、第２の脚部３２が、ケーシングに対して適宜な位置で、この結合フランジにおいて固定され得るからである。この第２の脚部３２は、このために、この第２の脚部のケーシング結合領域３４内において、当接部４２を有しており、従って、ターボ過給器ケーシング１４との第２の脚部３２の結合のために、結合フランジ４０およびケーシング結合領域３４が、この第２の脚部の当接部４２でもって、形状一体的に互いの中へ係合している。このケーシング結合領域３４の部分円弧、または円弧にわたって均等に分配された状態で、開口部４４が設けられており、これら開口部は、結合フランジ４０内における更に別の開口部４４′と対応しており、且つ、固定部材４６を収容している。この場合にはねじであるこれら固定部材４６を用いて、両方の部材は、相対して固定されている。示された実施例において、開口部４４、４４′は、このケーシング結合領域３４の当接部４２内において、もしくは結合フランジ４０内において設けられており、このことは、比較的に大きな材料厚さが、これら開口部４４、４４′の領域内において存在することの利点を有している。これら開口部４４、４４′は、しかしながら同様に、直接的に、このケーシング結合領域３４内において、もしくはターボ過給器ケーシング１４内において設けられていても良い。同様にこの結合フランジ４０も、このガス流出ケーシング２２の端面側上の代わりに、このガス流出ケーシングの外周上に設けられていても良く、且つ、この当接部４２が、相応して異なって構成されていても良く、または全く省略されていても良い。
【００２６】
ケーシング結合領域３４が、閉鎖された円弧フランジとして構成されている場合、このフランジを、ガス流出ケーシング２２とガス流入ケーシング２４との間で締め込むこと（図示されていない）、および、第２の脚部３２を、このようにして、ターボ過給器ケーシング１４と結合することは可能である。
【００２７】
第２の脚部が、ターボ過給器ケーシング１４の熱的な膨張を収容するために、この第２の脚部は、ここで示された実施例において、固定手段４８を用いて、この第２の脚部が、下側基礎２８に対して、所定の道程の範囲内において摺動可能であるように、下側基礎２８と結合されている。この目的で、下側基礎結合領域３６は、収容開口部５０を、それぞれ１つの固定手段４８を収容するために有している。それぞれの固定手段４８は、固定部材５２、およびこの固定部材を囲繞するスライドシュー５４から成っている。この固定部材５２は、このスライドシュー５４を下側基礎２８において固定している。このスライドシューは、このスライドシューの、下側基礎２８と相対して位置している側面上において、収容開口部５０の縁部を越えて突出するアーム部を有しており、且つ、この収容開口部５０内において、遊隙をもって収容されている。２０００年７月２６日に提出されたヨーロッパ特許出願  第００８１０６６３．５．（特許文献２）における図２ａから６ｂまで、および、対応する説明において詳細に記載されている、この構造によって、この第２の脚部３２が、この遊隙によって限定された道程の範囲内において、下側基礎２８に対して摺動可能であり、且つ、それにも拘らず、十分に強固に、この下側基礎と結合されていることは可能である。
【００２８】
第１の脚部３０は、詳細に、図４に図示されている。この第１の脚部は、溝部５８を備える結合部材５６を有しており、この溝部が、ターボ過給器１２の軸線方向の固定のために、ガス流出ケーシング２２において設けられた固定条片６０と協動する（図１、および２を参照）。付加的に、この結合部材５６内において、孔６２が設けられており、この孔は、ガス流出ケーシング２２内における相応する６２′と対応している。これら両方の孔６２、６２′は、固定体６４の収容のために設けられている。この結合部材５６は、結合体６６を用いて、収容サドル６８と結合されている。この収容サドル６８は、軸受面７０を有しており、これら軸受面上で、ガス流出ケーシング２２の圧縮機側が、滑動状態で軸受されている。この図１および２において示された実施例において、このガス流出ケーシング２２は、特別にこのために形成された軸受フランジ７２を有している。相応する開口部７６を通って案内される、固定手段７４でもって、この第１の脚部３０は、固定式に、下側基礎２８に固定される。この第１の脚部３０も、ターボ過給器ケーシング１４における適宜な位置において、固定され得るために、軸受フランジおよび固定条片も、もしも可能ならば、３６０°の弧を描くように形成されている。この第１の脚部３０のこの詳細図において記載された実施形態は、如何なる限定的な作用も持たず、且つ同様に類似した実施形態も可能であることは自明のことである。この溝部５８、および固定条片６０の代わりに、従って、例えば同様に、円形断面、または多角形断面を有する凹部、または孔が、ガス流出ケーシング２２の外周に設けられた、オス雌状に（gegengleich）形成されたピンと協動可能である。これら孔６２、６２′、および固定手段７４は、異なって構成されていても良く、またはしかもその上、省略されていても良い。
【００２９】
第１の脚部３０′は、そのことが図５において図示されているように、ガス流出ケーシング２２においての代わりに、軸受ケーシング１８において設けられていても良い。図５は、第１の脚部３０を除いて、図１による図の固定装置２６と一致している。示された様式において軸受脚部７８として形成された第１の脚部３０′は、そのことが、例えば、三菱重工業株式会社のパンフレットＨ４２０−４２ＴＵ１１Ｅ１−Ａ−０，（１，０）９８−３Ｒ，第６頁（非特許文献２）、および、ドイツ連邦共和国特許公開第１９９  ２５  ６８４号明細書（特許文献１）において図示されているように、公知の様式で構成され得る。
【図面の簡単な説明】
【００３０】
【図１】側面図において、ターボ過給器を、このターボ過給器の長手軸線に沿って、本発明による固定装置と共に図示した図であり、その際、この固定装置が、断面図において図示されている。
【図２】図１によるターボ過給器のガス流出ケーシングの水平方向断面状態において、本発明による固定装置を、透視的に且つ拡大された状態で図示した図である。
【図３】図１による固定装置に所属する両方の脚部の内の一方の脚部を、下から透視的に、傾斜して図示した図である。
【図４】図１による固定装置に所属する他方の脚部を、上から透視的に、傾斜して図示した図である。
【図５】図１に類似した図示における、本発明による固定装置の第２の実施形態を図示した図である。
【符号の説明】
【００３１】
１０    長手軸線
１２    ターボ過給器
１４    ターボ過給器ケーシング
１６    圧縮機ケーシング
１８    軸受ケーシング
２０    タービンケーシング
２２    ガス流出ケーシング
２４    ガス流入ケーシング
２６    固定装置
２８    下側基礎
３０    第1の脚部
３２    第2の脚部
３４    ケーシング結合領域
３６    下側基礎結合領域
３８    軸線方向補強材
４０    結合フランジ
４２    当接部
４４、  ４４′  開口部
４６    固定部材
４８    固定手段
５０    収容開口部
５２    固定部材
５４    スライドシュー
５６    結合部材
５８    溝部
６０    固定条片
６２、  ６２′  孔
６４    固定体
６６    結合体
６８    収容サドル
７０    軸受面
７２    軸受フランジ
７４    固定手段
７６    開口部
７８    軸受脚部
【図１】
2005516143.tif 000003
【図２】
2005516143.tif 000004
【図３】
2005516143.tif 000005
【図４】
2005516143.tif 000006
【図５】
2005516143.tif 000007
【手続補正書】
【提出日】平成16年4月16日(2004.4.16)
【手続補正１】
【補正対象書類名】特許請求の範囲
【補正対象項目名】請求項１
【補正方法】変更
【補正の内容】
【請求項１】
第１の、および第２の、下側基礎に固定可能な脚部でもって、この下側基礎に、ターボ過給器ケーシングを備えるターボ過給器を固定するための固定装置であって、その際、
これら両方の脚部が、軸線方向に相互に離間して設けられた状態でターボ過給器ケーシングと結合可能であり、且つ、この第２の脚部（３２）が、
ターボ過給器ケーシング（１４）と結合可能であり、且つ少なくとも部分円弧の様式で形成されているケーシング結合領域（３４）、
軸線方向にこのケーシング結合領域（３４）から離間して設けられ、この下側基礎（２８）と結合可能である下側基礎結合領域（３６）、並びに、
これら両方のケーシング結合領域（３４、３６）と互いに結合されており、且つ、この下側基礎（２８）と、角度αを成しており、この角度が、０°から６０°までの範囲内にある軸線方向補強材（３８）、
を備えている様式の上記固定装置において、
ケーシング結合領域（３４）が、円弧形状の軸線方向当接部（４２）を備えており、この軸線方向当接部が、ターボ過給器ケーシング（１４）と、軸線方向において形状一体的に結合可能であるように構成されていることを特徴とする固定装置。
【国際調査報告】
2005516143.tif 000008
2005516143.tif 000009
2005516143.tif 000010
2005516143.tif 000011
2005516143.tif 000012
2005516143.tif 000013